(57)【特許請求の範囲】
【請求項１】
物品を包装体に収容し、この包装体の外面を除染ガスで除染した後、無菌環境で包装体から物品を取り出す無菌環境への物品搬入方法において、
前記包装体の外側を前記除染ガスが透過する材質の包装材で形成するとともに、内側を前記外側の包装材よりも除染ガスが吸着しやすい材質の包装材で形成し、
前記外側の包装材の外面を除染し、外側の包装材を透過してきた除染ガスを内側の包装材に吸着させることを特徴とする物品の搬入方法。
【請求項２】
前記包装体が、内部に物品を収容する内側包装体と、この内側包装体を内部に収容する外側包装体から構成されることを特徴とする請求項１に記載の物品の搬入方法。
【請求項３】
前記包装体が、内側の除染ガスが吸着しやすい材質の包装材と、外側の除染ガスを透過する材質の包装材を重ね合わせて形成されていることを特徴とする請求項１に記載の物品の搬入方法。
【請求項４】
物品を包装する包装体であって、
外面を過酸化水素またはエチレンオキサイドまたはホルムアルデヒドからなる除染ガスで除染した後、無菌環境内で物品を取り出す物品搬入用の包装体において、
外側を上記除染に用いる除染ガスが透過する材質の包装材で形成するとともに、内側を外側の包装材よりも上記除染に用いる除染ガスが吸着しやすい材質の包装材で形成したことを特徴とする物品搬入用の包装体。
【発明の詳細な説明】
【技術分野】
【０００１】
本発明は、アイソレータ等の無菌環境へ物品を搬入する物品搬入方法および物品搬入用の包装体に関するものである。
【背景技術】
【０００２】
アイソレータ等の無菌環境内に、滅菌処理済みの物品を搬入する際に、この物品を包装材により包装し、包装材の外面を滅菌した後、無菌環境内で包装を除去するようにした発明が従来から知られている（例えば、特許文献１または特許文献２参照）。
【０００３】
特許文献１に記載された発明では、包装対象物を三重に滅菌袋によって包装し、電子線照射、ガンマ線照射等により滅菌してから、最も外側の滅菌袋を破ってその中身の二重の滅菌袋を取り出して即座にパスボックス内に入れ、蓋を閉めて二重滅菌袋の外側への菌の付着およびクリーンルームへの雑菌の進入を防止している。次に、よりクリーン度の高いクリーンルーム側からパスボックスの蓋を開け、二重滅菌包装物をクリーンルーム内に搬入する。続いて、二重滅菌包装物の外側の滅菌袋を破いてその中身の一重滅菌包装物を取り出して、即座にグローブボックス内に収容する。
【０００４】
また、特許文献２に記載された発明では、予め滅菌処理された物品を梱包材によって包装して滅菌装置内に収容し、滅菌装置内で包装の外面を過酸化水素蒸気等の除染ガスによって滅菌処理した後、無菌空間内に搬入して前記包装を剥離して除去する。
【先行技術文献】
【特許文献】
【０００５】
【特許文献１】特開２００８−２３９１６８号公報
【特許文献２】特許第３５０３２８４号公報
【発明の概要】
【発明が解決しようとする課題】
【０００６】
無菌環境に搬入する物品が除染ガス成分を取り除きにくい場合や、除染ガスの影響を受けやすい場合には、包装用の袋に入れて内部を電子線やガンマ線で滅菌し、外部を除染ガスによって除染して搬入する。このように包装体の外部を除染するために科学的な除染ガスを使用した場合には、少なからず除染ガス成分が包装体を透過してしまう。特に、物品を収容した包装体の外面の滅菌を十分に行おうとすると、透過する除染ガスの量が多くなってしまう。除染ガス成分が大量に透過した場合には、その後の除染ガス成分を取り除くエアレーションに要する時間が長くかかるという問題が発生するとともに、除去が不十分な場合には除染ガス成分が包装体から無菌環境に再放出されてしまう。また、透過した除染ガスが少量であっても、その影響を受けやすい物品の場合には問題が発生する。
【課題を解決するための手段】
【０００７】
本発明は、前記課題を解決するためになされたもので、物品を包装体に収容し、この包装体の外面を除染ガスで除染した後、無菌環境で包装体から物品を取り出す無菌環境への物品搬入方法において、前記包装体の外側を前記除染ガスが透過する材質の包装材で形成するとともに、内側を前記外側の包装材よりも除染ガスが吸着しやすい材質の包装材で形成し、前記外側の包装材の外面を除染し、外側の包装材を透過してきた除染ガスを内側の包装材に吸着させることを特徴とするものである。
【０００８】
また、第２の発明は、前記第１の発明において、前記包装体が、内部に物品を収容する内側包装体と、この内側包装体を内部に収容する外側包装体から構成されることを特徴とするものである。
【０００９】
さらに、第３の発明は、前記第１の発明において、前記包装体が、内側の除染ガスが吸着しやすい材質の包装材と、外側の除染ガスを透過する材質の包装材を重ね合わせて形成されていることを特徴とするものである。
【００１０】
また、第４の発明は、物品を包装する包装体であって、外面を過酸化水素またはエチレンオキサイドまたはホルムアルデヒドからなる除染ガスで除染した後、無菌環境内で物品を取り出す物品搬入用の包装体において、外側を上記除染に用いる除染ガスが透過する材質の包装材で形成するとともに、内側を外側の包装材よりも上記除染に用いる除染ガスが吸着しやすい材質の包装材で形成したことを特徴とするものである。
【発明の効果】
【００１１】
本発明の物品搬入方法では、物品を収容する包装体の外側を除染ガスが透過する材質の包装材で形成するとともに、内側を外側の包装材よりも除染ガスが吸収しやすい材質の包装材から形成したので、物品を収容した包装体の外面側は十分除染することができ、また、内側の包装材によって外側の包装材を透過してきた除染ガスを吸着するので、物品を収容している包装体の内部には除染ガスが浸透することがなく、除染ガス成分の再放出を防止するとともに、包装体の外面側は短時間のエアレーションで除染ガス成分を除去することができるという効果を奏する。また、物品搬入用の包装体の発明でも同様の効果を奏することができる。
【図面の簡単な説明】
【００１２】
【図１】図１は二重袋内に物品を収容した状態を示す図である。（実施例１）
【図２】図２は図１に示す二重袋をアイソレータ内に収容して除染する状態を示す図である。
【図３】図３は二層の袋内に物品を収容した状態を示す図である。（実施例２）
【図４】図４は二層袋の材質を示す図である。
【発明を実施するための形態】
【００１３】
物品を収容する内側の包装体（内袋）は、除染ガスを吸着しやすい材質の包装材から形成され、この内袋を収容する外側の包装体（外袋）は除染ガスを透過する材質の包装材から形成されており、これら２重の袋によって物品を包装して電子線やガンマ線により内部を除染し、アイソレータ内に収容して除染ガスにより除染を行う。除染ガスは外袋を透過して外袋の内部に入り、その際に外袋の外面を完全に除染する。また、外袋の内部に浸透した除染ガスは、内袋に吸着されて、内袋の内部には浸透しない。従って、内袋の内部に収容した物品は除染ガスの影響を受けず、また、除染ガスは内袋に吸着されるので再放出されることを防止でき、さらに、エアレーションを短時間で済ませることができる。
【実施例１】
【００１４】
以下、図面に示す実施例により本発明を説明する。物品２が内側の包装体（内袋４）内に収容され、開口部４ａがヒートシールされて密封されている。この内袋４が、サイズの大きい外側の包装体（外袋６）内に収容され、開口部６ａがヒートシールされて密封されている。前記内袋４は、前記外袋６よりも除染ガスが吸着しやすいガス吸着性や水蒸気吸着性の高い材質の包装材で形成されている。具体的には、ナイロンや活性炭を原材料とした繊維、不織布、フィルム、シートからなる包装材を袋やバッグ状に形成したものである。また、外袋６は除染ガスが透過する材質の包装材で形成されており、具体的には、一般的に袋やバッグとして成形される樹脂材料であり、比較的ガスバリア性や水蒸気バリア性の低い（ガス透過性や水蒸気透過性の高い）、ＰＥ（ポリエチレン）、ＰＰ（ポリプロピレン）、ＰＳ（ポリスチレン）、ＰＥＴ（ポリエチレンテレフタレート）等が挙げられる。
【００１５】
前記のように二重の包装体（内袋４と外袋６）の内袋４に物品２を収容した状態で、外袋６の外側から電子線やガンマ線等を照射することにより、外袋６の内面、内袋４の内外面および物品２の表面を除染してアイソレータ８に搬入する。このアイソレータ８には除染ガス発生装置１０が接続されており、この除染ガス発生装置１０からアイソレータ８内に除染ガスが供給されてアイソレータ８の内部および物品２を収容した外側の包装体（外袋６）の外面が除染される。この実施例では、除染ガスは、３５％過酸化水素水溶液から成る過酸化水素蒸気であるが、他に、エチレンオキサイドガス（ＥＯＧ）、ホルムアルデヒドガス等を用いることができる。
【００１６】
アイソレータ８内に除染ガスが供給されると、前記物品２を収容した２重の包装体（袋４、６）のうち外側の袋６は、除染ガスを透過するポリエチレン製であり、除染ガスが素材内に浸透することにより十分な除染が行われる。また、外側の袋６を透過して内部に入った除染ガスは、内側の袋４が除染ガスを吸着しやすい材質のナイロンであるため、この除染ガスを吸着し、この内側の袋４内に透過することは防止される。このように物品２を収容した包装材（袋）を材質の異なる２種類の袋（内袋４と外袋６）から構成したので、最も外側の面は確実に除染することができ、しかも、内側の袋４内には除染ガスが入り込まないので、この袋４内に収容されている物品２には除染ガスの悪影響が及ぶことはない。さらに、内袋４から物品２を取り出す際に、除染ガスを外部へ再放出することを防止できる。
【００１７】
なお、この実施例では、物品２を収容した袋４、６をアイソレータ８内に搬入して、外面の除染をアイソレータ８の内部除染と同時に行っているが、例えば、除染パスボックスを備えている場合には、パスボックス内で除染をしてから無菌状態のアイソレータ８内に搬入するようにしても良い。また、この実施例では、除染ガスである過酸化水素蒸気を透過しやすい材質としてポリエチレンを、そして、過酸化水素蒸気を吸着しやすい材質としてナイロンを用いたが、除染ガスおよび包装体（袋）の材質は前記のものに限定されるものではなく、その他の除染ガスを用いることもでき、その用いるガスの特性に応じた透過する材質、吸着しやすい材質を選択することができる。
【実施例２】
【００１８】
前記実施例では、除染ガスが透過する材質の包装材から成る外側の包装体（外袋６）と、除染ガスを吸着して内部側に透過させない材質の包装材からなる内側の包装体（内袋４）との二重の包装体４、６の内部に物品２を収容したが、必ずしも別の袋（内袋４と外袋６）を二重にして物品２を収容する構成に限るものではない。図３および図４に示す第２実施例は、一つの包装体（袋１２）で同様の効果を得られるようにしたものである。この実施例では、除染ガスを透過しやすいポリエチレン等の材質の包装材（シート１６）と、除染ガスを吸着しやすいナイロン等の材質の包装材（シート１４）を重ね合わせ（図４参照）、除染ガスを透過しやすい材質の包装材１６を外側にして包装体（二層袋１２）を形成する。なお、二層袋１２は、一方の材質の包装材を基材として、他方の材質の包装材をコーティングして形成してもよい。
【００１９】
前記二層袋１２内に滅菌済みの物品２を収容し、ヒートシール１２ａにより内部を密封する。この２層構造の包装体（二層袋１２）に電子線やガンマ線等による放射線除染を施した後、前記図２の実施例１と同様にアイソレータ８内に搬入し、除染ガス発生装置１０からアイソレータ８内に除染ガス（過酸化水素蒸気）を供給する。過酸化水素蒸気は、二層袋１２の外面側から外側の包装材１６（ポリエチレン）の内部に浸透し外面側を完全に除染する。二層構造の内部側の包装材１４を構成するナイロンは、過酸化水素蒸気を吸着しやすい性質なので、過酸化水素蒸気が外側包装材１６を透過して内側包装材１４に到達すると、内側包装材１４に吸着されて蓄積されるため、物品２ａが収容されている内側包装材１４の内側には到達せず、また、外側包装材１６を透過して外部環境に再放出されることもない。なお、包装体の形態としては、袋やバッグ状に限らず箱や容器状であっても良く、また、材質の異なる内外の包装材で形態が異なっていても良い。
【符号の説明】
【００２０】
２    物品
４    内側包装体（内袋）
６    外側包装体（外袋）
【図１】
0006042633.tif 000002
【図２】
0006042633.tif 000003
【図３】
0006042633.tif 000004
【図４】
0006042633.tif 000005